(57)【要約】【課題】  装置内部の冷却装置を簡易化してコンパクト化を図るとともに十分な冷却機能を有する光ディスク装置およびこの光ディスク装置を搭載した電子装置を提供する。【解決手段】  筐体１１内に設けられたモータ２１により、平ギヤ２２Ａを含むギヤ群２２を介して種々の機構２０を作動させる光ディスク装置１０であって、平ギヤ２２Ａにファン状の穴２３ａを設けるとともにこの平ギヤ２２Ａを筐体１１の下部に配置し、筐体１１におけるギヤ群２２の近傍に開口１４ａ、１４ｂを設けた。このため、モータ２１がギヤ群２２を介して種々の機構２０を稼動させる際に、ギヤ群２２のギヤが回転し、いずれかの平ギヤ２２Ａに設けられているファン状の穴２３ａによって空気を移動させて、光ディスク装置１０内の発熱部品等を冷却するとともに、筐体１１内部の粉塵を開口１４ａ、１４ｂから外部に排出できる。これにより、筐体１１の外部からの別の送風機構を設ける必要がなくなり、装置全体の小型化を図ることができる。【選択図】  図１
2006179061.tif 000002
【特許請求の範囲】
【請求項１】
筐体内に設けられたモータにより、平ギヤを含むギヤ群を介して前記筐体内に設けられた機構を作動させる光ディスク装置であって、
前記平ギヤはファン状の穴が設けられ、前記筐体における前記平ギヤの近傍に通気孔を設けたことを特徴とする光ディスク装置。
【請求項２】
前記平ギヤの回転動作により前記筐体内に気流を生じ、前記平ギヤよりも前記気流の下流側に前記通気孔を設けたことを特徴とする請求項１記載の光ディスク装置。
【請求項３】
前記平ギヤを前記筐体の下部に配置し、前記通気孔を前記筐体の下面に設けたことを特徴とする請求項２記載の光ディスク装置。
【請求項４】
筐体内に設けられたモータにより、平ギヤを含むギヤ群を介して前記筐体内に設けられた機構を作動させる光ディスク装置であって、
前記平ギヤはファン状の穴が設けられ、前記筐体における前記平ギヤの近傍および前記平ギヤと離間した位置に開口を設けたことを特徴とする光ディスク装置。
【請求項５】
請求項１ないし４のいずれか記載の光ディスク装置を搭載したことを特徴とする光ディスク装置を搭載した電子装置。
【発明の詳細な説明】
【技術分野】
【０００１】
本発明は、光ディスクに情報を書き込んだり再生したりする光ディスク装置およびこの光ディスク装置を搭載した電子装置に関するものである。
【背景技術】
【０００２】
従来の光ディスク装置においては、冷却機構として、モータ付のファンにより装置全体を冷却するものがある。
図９に示すように、従来の光ディスク装置１００は、カーオーディオなどの電子装置１１０の内部に配置され、光ディスク１１８を把持して回転するターンテーブル１１７及び光ピックアップ１２０を搭載した光ディスク演奏部１２１がデッキ筐体１１９の内部に設置されており、セット筐体１１６の内部かつデッキ筐体１１９の外部にファン付モータ１２５を設置する構成であった。
デッキ筐体１１９の内部を冷却する方法としては、前述したファン付モータ１２５が回転駆動することにより送風された空気が、デッキ筐体１１９に設けられた複数の通気穴１１９ａ及び通気穴１１９ｂより送り込まれ、デッキ筐体１１９の内部を通過し、熱気を帯びた空気が複数の通気穴１１９ｃ及び通気穴１１９ｄより排気されることで、デッキ筐体１１９内部が冷却される。
【０００３】
また、冷却ファンを用いずに、再生するディスクの回転動作を利用した冷却方法も開示されている（例えば特許文献１参照）。
図１０に示すように、このディスク装置２００では、トレイ２０１の外周面にスリット孔２０１ａを設け、ディスク装置２００の動作と同時に開始されるディスク２０２の回転に撚って発生した空気の流れをスリット孔２０１ａに誘導し、トレイ２０１内部に設けられた発熱部品を冷却するようになっている。
さらに、トレイ２０１の底面部に空気の排出孔２０３を設け、空気の流れを円滑にする。
【特許文献１】特開昭５６−１０２６３１号公報（図１）
【特許文献２】特開平８−３３９６７８号公報（図１）
【発明の開示】
【発明が解決しようとする課題】
【０００４】
しかしながら、前述したディスク装置１００のように、冷却機構を別ユニットで構成すると、冷却機構を含めたディスク装置全体が大型化するという問題があった。
また、前述した特許文献１に開示されているディスク装置２００では、外部から光ディスク装置２００の内部に空気を取り込む際に、粉塵が一緒に光ディスク装置２００の内部に入り込んでしまい、この粉塵が原因となる不具合が発生するという課題があった。
【０００５】
本発明は、従来の問題を解決するためになされたもので、デッキ筐体内部の冷却機構の構成を容易にすると共に、防塵性の高い光ディスク装置の冷却機構を提供することを目的とする。
【課題を解決するための手段】
【０００６】
本発明の光ディスク装置は、筐体内に設けられたモータにより、平ギヤを含むギヤ群を介して前記筐体内に設けられた機構を作動させる光ディスク装置であって、前記平ギヤはファン状の穴が設けられ、前記筐体における前記平ギヤの近傍に通気孔を設けた構成を有している。
【０００７】
この構成により、モータがギヤ群を介して筐体内の機構を稼動させる際に、ギヤ群のギヤが回転し、平ギヤに設けられているファン状の穴によって空気を移動させるので、筐体内の発熱部品等を冷却できる。これにより、筐体の外部からの別の送風機構を設ける必要がなくなり、装置全体の小型化を図ることができるとともに、平ギヤの近傍に通気孔を設けるだけの構成とすることができるため、防塵性を高めることができる。
【０００８】
また、本発明にかかる光ディスク装置は、前記平ギヤの回転動作により前記筐体内に気流を生じ、前記平ギヤよりも前記気流の下流側に前記通気孔を設けた構成を有している。
【０００９】
この構成により、ギヤが回転して発生させた空気の流れの下流側に通気孔で、気流が滞ることなく効率よく電子装置内部に設けられている光ディスク装置の筐体内部を冷却できる。
また、筐体内に侵入してきた粉塵の通気孔から筐体外部への排出をスムーズにすることができ、防塵機能を高めることができる。
【００１０】
さらに、本発明に係る光ディスク装置は、前記平ギヤを前記筐体の下部に配置し、前記通気孔を前記筐体の下面に設けた構成を有している。
この構成により、筐体内部の冷却機能を有するとともに、筐体の下面に通気孔を設けたことにより、自然落下による粉塵の堆積の影響を大幅に低減でき、信頼性の高い光デッキ装置を提供することができる。
【００１１】
また、本発明の光ディスク装置は、筐体内に設けられたモータにより、平ギヤを含むギヤ群を介して前記種々の機構を作動させる光ディスク装置であって、前記平ギヤはファン状の穴が設けられ、前記筐体における前記平ギヤの近傍および前記平ギヤと離間した位置に開口を設けた構成を有している。
この構成により、筐体に設けられたギヤが回転して空気の流れを発生させる際、容易に吸気が得られるため、電子装置内部に設けられている光ディスク装置の筐体内部をより冷却することができる。
【００１２】
そして、本発明に係る光ディスク装置を搭載した電子装置は、前述したファン状の穴が設けられた平ギヤを設けた光ディスク装置を搭載した構成を有している。
この構成により、電子装置の内部全体としても空気が流動することとなるため、電子装置全体の冷却することができる。
【発明の効果】
【００１３】
本発明は、種々の機構において設けられているモータにより回転される平ギヤに、ファン状の穴を設けたので、平ギヤの回転により空気の流れを起こして、発熱部品等を冷却できるとともに、開口を介して粉塵を筐体の外部へ排出できるという効果を有する光ディスク装置およびこの光ディスク装置を搭載した電子装置を提供できるものである。
【発明を実施するための最良の形態】
【００１４】
（第１実施形態）
以下、本発明の第１実施形態にかかる光ディスク装置について、図面を用いて説明する。
図１は本発明の第１実施形態にかかる光ディスク装置の平面図、図２は第１実施形態の平ギヤの斜視図、図３は第１実施形態の平ギヤの平面図、図４は図３中IV−IV位置の断面図である。
【００１５】
図１に示すように、光ディスク装置１０は、筐体１１内に設けられた種々の機構２０のうち、モータ２１により平ギヤ２２Ａを含むギヤ群２２を介して前記種々の機構２０を作動させる光ディスク装置１０であって、前記平ギヤ２２Ａにファン状の穴２３（図２参照）を設けたものである。
【００１６】
光ディスク装置１０は、例えば電子装置としてのカーオーディオ装置本体１２の内部に設けられており、光ディスク装置１０の筐体１１の中央部には光ディスク演奏部３０が設けられている。
演奏部３０にはベースプレート３３が設けられており、筐体１１の中央部に該当するベースプレート３３上には、光ディスク１３を把持して回転するターンテーブル３１が設けられている。また、ベースプレート３３上には、ターンテーブル３１を中心とする半径方向に沿ってボールネジ３４ａおよびガイドレール３４ｂが所定間隔で平行に設けられており、ボールネジ３４ａはギヤ３５ａ、３５ｂを介してモータ３６に接続されている。
なお、光ピックアップ３２には、ボールネジ３４ａに螺合するボールナット３２ａが設けられている。
【００１７】
従って、光ディスク１３から情報を読取って再生したり、情報を書き込んだりする際には、モータ３６の回転がギヤ３５ａ、３５ｂを介してボールネジ３４ａを回転させて、光ピックアップ３２をガイドレール３４ｂに沿って往復移動させることになる。
【００１８】
筐体１１の前面１１ａ（図１において下側面）には光ディスク１３が通過できる大きさの光ディスク挿排口２４が設けられており、筐体１１の下面１１ｂには平ギヤ２２Ａにファン状の穴２３を設けた平ギヤ２２Ａの近傍に筐体１１の内部と外部とを結ぶ複数個の通気孔１４が設けられている。
光ディスク装置１０の筐体１１において、筐体１１の内部と外部とを結ぶ開口はディスク挿排口２４と通気孔１４と折曲げや組立てなどに起因する筐体１１の構造上発生する僅かな隙間の他にはなく、主として光ディスク装置１０内に粉塵が堆積しにくくするために筐体内の種々の機構などを保護するためにほぼ密閉状態にしている。
【００１９】
光ディスク挿排口２４の内側（図１において上側）には、機構として光ディスク１３の挿入および排出を行う光ディスク挿排機構２０が設けられている。
この光ディスク挿排機構２０では、光ディスク挿排口２４の内側における筐体１１の左右両端部に左右の軸受け２６ａ、２６ｂが設けられており、この軸受け２６ａ、２６ｂによって回転軸２７が回転自在に設けられている。
【００２０】
回転軸２７の左右端部付近には、光ディスク１３を筐体１１の内外部へ挿入及び排出するためのゴム製等の一対の挿排ローラ２５が回転軸２７と一体で回転するように取り付けられている。
また、回転軸２７の一方（図１においては右側）の端部にはギヤ２２Ｂが取り付けられている。
【００２１】
筐体１１内部の下部である底面１１ｂには、光ディスク挿排機構２０用のモータ２８が設けられており、モータ２１の回転軸２１ａにはギヤ群２２を構成するウォームギヤ２２Ｃが取り付けられている。ギヤ群２２において、ウォームギヤ２２Ｃは、平ギヤ２２Ｄ、２２Ａおよびギヤ２２Ｅを介してギヤ２２ｂに接続されている。
従って、モータ２８を回転させると、ギヤ群２２を構成する一連のギヤ２２Ｄ、２２Ａ、２２Ｅ、２２Ｂを介して回転軸２７が回転され、挿排ローラ２５が一体で正逆に回転して、光ディスク１３の挿排動作を行う。
【００２２】
図２から図４に示すように、ギヤ群２２を構成するギヤのうち、例えば外径が最も大きな平ギヤ２２Ａには、ファン状の穴２３が設けられている。この平ギヤ２２Ａには、ギヤ部２２ａが設けられているリム２２ｂを支持しているスポーク２２ｃに、ファン状の穴２３ａとファン突起部２３ｂが設けられている。
このため、モータ２１により平ギヤ２２Ａが回転されると、ファン状の穴２３ａとファン突起部２３ｂにより空気の流動が発生し、例えば平ギヤ２２Ａの上面の空気がファン状の穴２３ａを通過して、平ギヤ２２Ａの下面側へ移動する。
【００２３】
従って、光ディスク１３を光ディスク装置１０内へ挿入したり、外部へ排出したりするためにモータ２１により挿排ローラ２５を回転させると、ギヤ群２２が回転するため、平ギヤ２２Ａによって、装置内の空気がディスク挿排口や筐体１１の僅かな隙間などから筐体１１の筐体１１の下面１１ｂに設けられた通気孔１４へ向けて空気が流動することになる。
この空気の流動により、例えば通気孔１４を介して筐体１１内部の空気が外部に排出されることになる。
【００２４】
以上、説明したように、本発明に係る第１実施形態の光ディスク装置１０によれば、光ディスク挿排機構２０を作動させて光ディスク１３の挿排を行う際に、モータ２１を回転させるとギヤ群２２が回転して、平ギヤ２２Ａに設けられているファン状の穴２３ａおよびファン突起部２３ｂの働きにより空気が流動し、筐体１１におけるギヤ群２２の近傍に通気孔１４を設けたので、空気の移動により筐体１１内部の空気を排気することができ、十分な冷却機能を実現できる。
【００２５】
また、筐体１１の外部からの別の送風機構を設けたり、新たな部品を追加する必要がないため、装置全体の小型化を図ることができる。
さらに、ギヤ群２２の回転動作によりギヤ群２２付近に堆積した粉塵を通気孔１４ｂから筐体１１の外部へ排出できるので、送風ファンなどを用いた光ディスク装置１０の外部からの空気流動を必要とせずに４内部の冷却を行うことが可能であるため筐体１１に空気流入用の通気穴を筐体１１の側面や上面に設ける必要が無く、外部からの粉塵混入する可能性のある通気穴を廃止した防塵性の高い光ディスク装置１０の構成が可能となり、信頼性の高い光デッキ装置を提供することが可能である。
【００２６】
また、カーオーディオ装置１２は熱がこもる狭い車内に設けられるものであり、かつ、乗員の近傍に位置するなど、多く粉塵を吸収する環境下に置かれるが、前述したような光ディスク装置１０を搭載したカーオーディオ装置１２では、進入してきた粉塵を光ディスク装置１０の外部に排出できるので、車載用として有用である。
【００２７】
なお、以上の説明では、挿排ローラ２５の駆動源であるモータ２１の回転力を使用した構成について説明したが、挿排ローラ２５のモータ２１ではなく例えば光ピックアップ３２移動用のモータ３６や、光ディスクチェンジャ装置などでは光ディスクストッカトレイの駆動モータ（図示省略）等を用いた構成についても、適当な平ギヤを設けることで同様に実施可能である。
【００２８】
（第２実施形態）
以下、本発明の第２実施形態にかかる光ディスク装置について、図面を用いて説明する。
図５は本発明の第２実施形態にかかる光ディスク装置の平面図、図６は第２実施形態の平ギヤの斜視図、図７は第２実施形態の平ギヤの平面図、図８は図７中VIII−VIII位置の断面図である。
【００２９】
図５に示すように、光ディスク装置４０は、筐体４１内の種々の機構５０に設けられたモータ５１により、平ギヤ５２Ａを含むギヤ群５２を介して前記種々の機構５０を作動させる光ディスク装置４０であって、前記平ギヤ５２Ａにファン状の穴５３（図６参照）を設けたものである。
【００３０】
光ディスク装置４０は、例えば電子装置としてのカーオーディオ装置本体４２の内部に設けられているが、このカーオーディオ装置１では、光ディスク装置１０のほかにラジオやカセットテープ再生装置等を内蔵している。そのため内部は発熱部品が多いうえに、熱がこもりやすい構成となっている。
光ディスク装置４０の筐体４１の中央部には光ディスク演奏部６０が設けられている。
【００３１】
演奏部６０にはベースプレート６３が設けられており、筐体４１の中央部に該当するベースプレート６３上には、光ディスク４３を把持して回転するターンテーブル６１が設けられている。また、ベースプレート６３上には、ターンテーブル６１を中心とする半径方向に沿ってボールネジ６４ａおよびガイドレール６４ｂが所定間隔で平行に設けられており、ボールネジ６４ａはギヤ６５ａ、６５ｂを介してモータ６６に接続されている。
なお、光ピックアップ６２には、ボールネジ６４ａに螺合するボールナット６２ａが設けられている。
【００３２】
従って、光ディスク４３から情報を読取って再生したり、情報を書き込んだりする際には、モータ６６の回転がギヤ６５ａ、６５ｂを介してボールネジ６４ａを回転させて、光ピックアップ６２をガイドレール６４ｂに沿って往復移動させることになる。
【００３３】
筐体４１の前面４１ａ（図５において下側面）には光ディスク４３が通過できる大きさの光ディスク挿排口５４が設けられており、筐体４１の側面４１ｃ、４１ｄには、筐体４１の内部と外部とを結ぶ複数個の開口４４ａ、４４ｂが設けられている。
光ディスク挿排口５４の内側（図５において上側）には、機構として光ディスク４３の挿入および排出を行う光ディスク挿排機構５０が設けられている。
この光ディスク挿排機構５０では、光ディスク挿排口５４の内側における筐体４１の左右両端部に左右の軸受け５６ａ、５６ｂが設けられており、この軸受け５６ａ、５６ｂによって回転軸５７が回転自在に設けられている。
【００３４】
回転軸５７の左右端部付近には、光ディスク４３を筐体４１の内外部へ挿入及び排出するためのゴム製等の一対の挿排ローラ５５が回転軸５７と一体で回転するように取り付けられている。
また、回転軸５７の一方（図５においては右側）の端部にはギヤ５２Ｂが取り付けられている。
筐体４１内部の下部である底面４１ｂには、光ディスク挿排機構５０用のモータ５８が設けられており、モータ５１の回転軸５１ａにはギヤ群５２を構成するウォームギヤ５２Ｃが取り付けられている。ギヤ群５２において、ウォームギヤ５２Ｃは、平ギヤ５２Ｄ、５２Ａおよびギヤ５２Ｅを介してギヤ５２ｂに接続されている。
従って、モータ５８を回転させると、ギヤ群５２を構成する一連のギヤ５２Ｄ、５２Ａ、５２Ｅ、５２Ｂを介して回転軸５７が回転され、挿排ローラ５５が一体で正逆に回転して、光ディスク４３の挿排動作を行う。
【００３５】
図６から図８に示すように、ギヤ群５２を構成するギヤのうち、例えば外径が最も大きな平ギヤ５２Ａには、ファン状の穴５３が設けられている。この平ギヤ５２Ａには、ギヤ部５２ａが設けられているリム５２ｂを支持しているスポーク５２ｃに、ファン状の穴５３ａとファン突起部５３ｂが設けられている。
このため、モータ５１により平ギヤ５２Ａが回転されると、ファン状の穴５３ａとファン突起部５３ｂにより空気の流動が発生し、例えば平ギヤ５２Ａの上面の空気がファン状の穴５３ａを通過して、平ギヤ５２Ａの下面側へ移動する。
【００３６】
従って、光ディスク４３を光ディスク装置４０内へ挿入したり、外部へ排出したりするためにモータ５１により挿排ローラ５５を回転させると、ギヤ群５２が回転するため、図８中矢印で示すように、平ギヤ５２Ａによって空気が流動することになる。
この空気の流動により、例えば開口４４ａ、４４ｂを介して筐体４１の内部に空気が侵入したり、筐体４１内部の空気が外部に排出されることになる。
ここで、第２実施形態において、開口４４ａおよび４４ｂは、空気の流動を生じさせる平ギヤ５２Ａの近傍に開口４４ｂを、そして、この開口４４ｂから筐体４１における遠い位置に開口４４ａをそれぞれ設けているため、光ディスク装置４０の内部ほぼ全体に気流ができることとなり、光ディスク装置４０の冷却効果を得るとともに、オーディオ装置４２の内部全体としても空気が流動することとなるため、オーディオ装置４０の冷却効果を得ることとなる。
【００３７】
以上、説明したように、本発明に係る第２実施形態の光ディスク装置４０によれば、光ディスク挿排機構５０を作動させて光ディスク４３の挿排を行う際に、モータ５１を回転させるとギヤ群５２が回転して、平ギヤ５２Ａに設けられているファン状の穴５３ａおよびファン突起部５３ｂの働きにより空気が流動する。また、筐体４１におけるギヤ群５２の近傍に開口４４ａ、４４ｂを設けたので、空気の移動により筐体４１内部の空気を排気することができ、十分な冷却機能を実現できる。
【００３８】
また、筐体４１の外部からの別の送風機構を設けたり、新たな部品を追加する必要がないため、装置全体の小型化を図ることができる。
さらに、ギヤ群５２の回転動作によりギヤ群５２付近に堆積した粉塵を通気孔４４ｂから筐体４１の外部へ排出できるので、送風ファンなどを用いた光ディスク装置４０の外部からの空気流動を必要とせずに４内部の冷却を行うことが可能である。従って、空気流入用の通気穴を筐体４１の側面や上面に設ける必要が無く、外部からの粉塵混入する可能性のある通気穴を廃止した防塵性の高い光ディスク装置４０の構成が可能となり、信頼性の高い光デッキ装置を提供することが可能である。
【００３９】
また、カーオーディオ装置４２は熱がこもる狭い車内に設けられるものであり、かつ、乗員の近傍に位置するなど、多く粉塵を吸収しやすい環境下に置かれるが、前述したような光ディスク装置４０を搭載したカーオーディオ装置４２では、進入してきた粉塵を光ディスク装置４０の外部に排出できるので、車載用として有用である。
【００４０】
なお、以上の説明では、挿排ローラ５５の駆動源であるモータ５１の回転力を使用した構成について説明したが、適当な平ギヤを設けることで、挿排ローラ５５のモータ５１ではなく例えば光ピックアップ６２移動用のモータ６６や、光ディスクチェンジャ装置などでは光ディスクストッカトレイの駆動モータ（図示省略）等を用いた構成についても同様に実施可能である。
【産業上の利用可能性】
【００４１】
以上のように、本発明に係る光ディスク装置は、種々の機構において設けられているモータにより回転される平ギヤに、ファン状の穴を設けたので、平ギヤの回転により空気の流れを起こして、発熱部品等を冷却できるとともに、開口を介して粉塵を筐体の外部へ排出できるという効果を有し、光ディスクに情報を書き込んだり再生したりする光ディスク装置およびこの光ディスク装置を搭載した電子装置等として有用である。
【図面の簡単な説明】
【００４２】
【図１】本発明の第１実施形態にかかる光ディスク装置の平面図
【図２】第１実施形態の平ギヤの斜視図
【図３】第１実施形態の平ギヤの平面図
【図４】図３中IV−IV位置の断面図
【図５】本発明の第２実施形態にかかる光ディスク装置の平面図
【図６】第２実施形態の平ギヤの斜視図
【図７】第２実施形態の平ギヤの平面図
【図８】図７中VIII−VIII位置の断面図
【図９】従来の光ディスク装置の平面図
【図１０】従来の光ディスク装置の分解斜視図
【符号の説明】
【００４３】
１０、４０  光ディスク装置
１１、４１  筐体
１１ｂ、４１ｂ  底面（下部）
１２、４２  カーオーディオ装置（電子装置）
１４ａ、４４ａ、４４ｂ  開口
２０、５０  光ディスク挿排機構（機構）
２１、５１  モータ
２２、５２  ギヤ群
２２Ａ、５２Ａ  平ギヤ
２３ａ、５３ａ  ファン状の穴
【図１】
2006179061.tif 000003
【図２】
2006179061.tif 000004
【図３】
2006179061.tif 000005
【図４】
2006179061.tif 000006
【図５】
2006179061.tif 000007
【図６】
2006179061.tif 000008
【図７】
2006179061.tif 000009
【図８】
2006179061.tif 000010
【図９】
2006179061.tif 000011
【図１０】
2006179061.tif 000012